(57)【要約】【課題】  片手で財布の蓋を開閉でき、硬貨や折り畳んだ紙幣を簡単に取り出しでき、この財布の着用時に片手でゴムベルトをズボンを履くように足元から身体の胴部の周囲に容易に固定して確実に硬貨等を取りだし得る硬貨を収納するポーチ型の財布を提供する。【解決手段】  高さが紙幣１５ａの略１．２倍で上部が開放しうる収納容器１の内部に、高さが収納容器１の略２分の１で、厚さが８〜１２ｍｍでかつ長さが収納容器１の内部の長さと同じ長さを有する複数枚のスポンジ体１１からなるスポンジ複合体１２を配設し、このスポンジ複合体１２の重合部の上部のスポンジ体１１の隣接同士に硬貨１４ａを挿着する硬貨収納部１４を設け、スポンジ複合体１２と収納容器１の間を紙幣収納部１５とし、収納容器１の裏面３にゴムベルト１０を装着した手指の不自由な人用のゴムベルト付きポーチ型の財布。【選択図】      図１
0003112010.tif 000002
【実用新案登録請求の範囲】
【請求項１】
高さが紙幣１５ａの略１．２倍で上部が開放しうるポーチ型の財布の収納容器１の内部に、高さが収納容器１の略２分の１で、厚さが８〜１２ｍｍでかつ長さが収納容器１の内部の長さと同じ長さを有するスポンジ体１１からなる複数枚を重ね合わせてスポンジ複合体１２とし、このスポンジ複合体１２の重合部の上部のスポンジ体１１の隣接同士を断続的に開いて硬貨１４ａを挿着する硬貨収納部１４に形成し、スポンジ複合体１２と収納容器１との間を紙幣収納部１５とし、このスポンジ複合体１２の下部を収納容器１の内部の底４に取り付け、この収納容器１の背部の裏面３にゴムベルト１０を装着したことを特徴とする手指の不自由な人用のゴムベルト付きポーチ型の財布。
【請求項２】
スポンジ複合体１２の重合部の各スポンジ体１１の上面は長手方向に見た断面形状を山形部１３として硬貨１４ａを摘む指先を挿入しやすくしていることを特徴とする請求項１に記載の手指の不自由な人用のゴムベルト付きポーチ型の財布。
【考案の詳細な説明】
【技術分野】
【０００１】
この考案は、手指あるいは腕などの肢体の不自由な人が日常の生活で使用する硬貨等を容易に収納でき、かつ、不自由な手指あるいは腕などに負担をかけることなく硬貨等を取り出すことのできるゴムベルト付きのポーチ型の財布に関する。
【背景技術】
【０００２】
通常の市販されている硬貨等を収納しうる財布は、硬貨を収納する入れ物部分に得られた硬貨を手にしたそのままの状態で向きや大きさを揃えることなく入れるものである。これは、一般的には、手指の健常な人ならば、硬貨を取り出すときに財布の硬貨入れの容器内を指先で異なる大きさと価額の貨幣の間を探りながら、必要な硬貨の価額に見合う貨幣を選び出して取り出している。
【０００３】
しかしながら、手指あるいは腕などの肢体の不自由な人にとっては、以上のように財布を片手で持って他の手の指先で財布の中を探って目的とする貨幣をつまみ出すことは容易ではない。しかし、この人たちも日常生活を送るためには、大金でなくとも硬貨などの小銭は常に必要である。例えば、バスなどに乗って乗者賃を支払うために不安定な車内で、特に後に他の人が順をまっている際などに、財布から目的の貨幣を取り出すのに手間取るとあせりでストレスとなった。
【０００４】
目の不自由な人にコインを区分して入れるコインホルダが開発されている（特許文献１参照。）。しかし、このものは額面を区別できるが自由に取り出しにくい問題がある。一方、形態の利便性のために小物入れに巻回紐を設け、上端に吊り下げ紐を配設した小物入れが開示されている（特許文献２参照。）。このものは利便性はあるが必ずしも手指に不自由な人が貨幣を取り出しやすくするものではない。
【０００５】
【特許文献１】特開平１０−１４６３５号公報
【特許文献２】特開２０００−１４４２９号公報
【考案の開示】
【考案が解決しようとする課題】
【０００６】
この考案は、片手で財布が開閉でき、硬貨や折り畳んだ紙幣あるいは病院の診察券などを簡単に取り出しでき、また、この財布の着用時には、片手でゴムベルトをズボンを履くように足元から身体の胴部の周囲に容易にしっかり固定して確実に硬貨等を取りだし得る構造の主として硬貨を収納するポーチ型の財布を提供することである。
【課題を解決するための手段】
【０００７】
この考案の課題を解決するための手段は、請求項１の考案では、高さが紙幣１５ａの略１．２倍で上部が開放しうるポーチ型の財布の収納容器１の内部に、高さが収納容器１の略２分の１で、厚さが８〜１２ｍｍでかつ長さが収納容器１の内部の長さと同じ長さを有するスポンジ体１１からなる複数枚を重ね合わせてスポンジ複合体１２として収納する。このスポンジ複合体１２の重合部の上部のスポンジ体１１の隣接同士を断続的に開いて硬貨１４ａを挿着する硬貨収納部１４に形成し、スポンジ複合体１２と収納容器１との間を紙幣収納部１５とする。このように形成したスポンジ複合体１２の下部を収納容器１の内部の底４に取り付ける。この収納容器１の背部の裏面３にはゴムベルト１０を装着して手指の不自由な人の身体の胴部に取り付け可能とした手指の不自由な人用のゴムベルト付きポーチ型の財布である。
【０００８】
請求項２の考案では、スポンジ複合体１２の重合部の各スポンジ体１１の上面は長手方向に見た断面形状を山形部１３として硬貨１４ａを摘む指先を挿入しやすくしている上記の請求項１の手段の手指の不自由な人用のゴムベルト付きポーチ型の財布である。
【考案の効果】
【０００９】
この考案は、ポーチ型の財布において、ゴムベルトで腰に装着できるものとし、さらに財布の収納容器の上部を開口部に開放し、この収納容器中にスポンジ体の複数枚を重ね合わせたスポンジ複合体から形成の硬貨挟持部に硬貨を縦に縦列状に挿着可能とし、しかも挿着した硬貨の先端部分をスポンジ複合体から突出した状態となるようにスポンジ体の膨張復元力で保持しているので、手指の不自由な人でも自由の利く片手で硬貨を容易に確実に素早くつまみ出せるなど、本考案は優れた効果を奏するものである。
【考案を実施するための最良の形態】
【００１０】
本考案の実施をするための最良の形態を図面を参照して説明する。図１は本考案のポーチ型の財布の被せ蓋を開いた正面図である。図２は本考案の被せ蓋を開いたポーチ型の財布の側面図で一部破断して内部を示す図である。図３は本考案のポーチ型の財布の被せ蓋を開いて一部内部を破断して示す正面図である。図４は本考案のポーチ型の財布の被せ蓋を開いた背面図である。
【００１１】
本考案の１実施の形態を示す。図１に示すように、このポーチ型の財布の硬貨１４ａを主として入れる収納容器１は上部に被せ蓋６がある。この被せ蓋６を上方に持ち上げて開くと、高さが紙幣１５ａの略１．２倍で上部が開放した収納容器１が形成されている。この収納容器１の内部に、高さが収納容器１の略２分の１で、厚さが８〜１２ｍｍで、その長さが収納容器１の内部の長さと同じ長さを有するスポンジ体１１の複数枚を重ね合わせて形成したスポンジ複合体１２が配設されている。このスポンジ複合体１２の上部のスポンジ体１１の隣接同士を断続的に硬貨挿着部に隙間を設け、その他の部分はのりつけあるいは縫い付けにより接合し、硬貨収納部１４に形成している。さらに、スポンジ複合体１２の両側部と収納容器１の内壁面との隙間は紙幣１５ａを収納する紙幣収納部１５に形成している。このスポンジ複合体１２は収納容器１の内部の底４に取り付けられている。このポーチ型の財布の収納容器１の側面５は上記の厚みのあるスポンジ複合体１２を収納することが可能な幅に形成されている。
【００１２】
このポーチ型の財布の収納容器１の表面２の上部には、被せ蓋６の内部を被せて係合するための表面側の平面ファスナー７が設けられており、一方、被せ蓋６の先端側には、その内面に収納容器１の表面２に配設の表面側の平面ファスナー７に係止するための被せ蓋側の平面ファスナー８が設けられている。この被せ蓋６の内面は上下の２箇所の折曲げ位置１６で折り曲げられて収納容器１に係合して閉じられる。このポーチ型の財布の収納容器１の背部の裏面３には、身体に装着するためのゴムベルト１０を挿通するゴムベルト保持部９が設けられている。このゴムベルト保持部９に伸縮性のゴム糸を内在して織り込んだ帯状のゴムベルト１０を挿入して取り付けている。このゴムベルト１０はその左右の各端部に一端を他端に挿着して互いを係合するベルト接合具を有する。この考案のポーチ型の財布は以上の構成からなり、手指の不自由な人が使用し易くされたゴムベルト付きポーチ型の財布である。
【００１３】
さらに、このゴムベルト付きポーチ型の財布は、上記の構成に加えて、スポンジ複合体１２の重合部の各スポンジ体１１の上面は長手方向に見た断面形状が山形部１３に形成されており、硬貨１４ａを摘出す指先を挿入しやすく工夫されている。その他の構成は上記の請求項１の手段の手指の不自由な人用のゴムベルト付きポーチ型の財布の構成と同じである。
【００１４】
この考案のゴムベルト付きポーチ型の財布を身体に装着するときは、手指の使える場合は、ポーチ型の財布のゴムベルト１０の左右の端部を身体の胴部に巻いて互いの端部のベルト接合部を挿着係止して装着する。一方、手指の不自由な人が装着するときは、身体に装着する前にゴムベルト１０の左右の互いの端部のベルト接合部を挿着係止してベルトの輪を作ってから、その輪を身体の脚に通して胴部に持ち上げて装着するものとする。使用時には、被せ蓋６の端を持ち上げて係合している平面ファスナー７、８の係合をはずして被せ蓋６を開け、指先を収納容器１の上部から内部に挿入してスポンジ複合体１２の間から突出している硬貨１４ａを摘んで取り出す。必要数の硬貨１４ａを取り出し、さらに必要によりスポンジ複合体１２の側部の紙幣収納部１５から紙幣１５ａを取り出し、所要を済ませると再び被せ蓋６を閉じ平面ファスナー７、８を係合する。
【図面の簡単な説明】
【００１５】
【図１】本考案のポーチ型の財布の被せ蓋を開いた正面図である。
【図２】本考案の被せ蓋を開いたポーチ型の財布の側面図で一部破断して内部を示す図である。
【図３】本考案のポーチ型の財布の被せ蓋を開いて一部内部を破断して示す正面図である。
【図４】本考案のポーチ型の財布の被せ蓋を開いた背面図である。
【符号の説明】
【００１６】
１  収納容器
２  表面
３  裏面
４  底
５  側面
６  被せ蓋
７  平面ファスナー
８  平面ファスナー
９  ゴムベルト保持部
１０  ゴムベルト
１１  スポンジ
１２  スポンジ複合体
１３  山形部
１４  硬貨収納部
１４ａ  硬貨
１５  紙幣収納部
１５ａ  紙幣
１６  曲げ位置
【図１】
0003112010.tif 000003
【図２】
0003112010.tif 000004
【図３】
0003112010.tif 000005
【図４】
0003112010.tif 000006